(57)【特許請求の範囲】
【請求項１】
（Ａ）２次元マトリクス状に配列された複数の画素を備えた画像形成装置、
（Ｂ）画像形成装置の画素から出射された光を平行光とするコリメート光学系、
（Ｃ）コリメート光学系にて進行方位の異なる複数の平行光とされた光が入射され、導光され、出射される光学装置、及び、
（Ｄ）画像形成装置を駆動するための駆動回路、
を備えた画像表示装置であって、
光学装置は、
（ａ）入射された光が内部を全反射により伝播した後、出射される導光板、
（ｂ）導光板に入射された光が導光板の内部で全反射されるように、導光板に入射された光を回折反射する、反射型体積ホログラム回折格子から成り、導光板に配設された第１回折格子部材、及び、
（ｃ）導光板の内部を全反射により伝播した光を、複数回、回折反射し、導光板から出射する、反射型体積ホログラム回折格子から成り、導光板に配設された第２回折格子部材、
を備えており、
駆動回路は、画素を駆動するための駆動信号を補正係数に基づき補正する補正回路を備えており、
第２回折格子部材の中心を原点とし、原点を通る第２回折格子部材の法線をＸ軸、原点を通る導光板の軸線をＹ軸としたとき、補正係数は、Ｙ軸方向と光学的に等価の方向に沿った画像形成装置における画素に応じて異なる値を有し、
補正係数は、所望の色再現範囲における赤色の色度座標と、画像形成装置が赤色を表示したときの赤色の色度座標との一致、所望の色再現範囲における緑色の色度座標と、画像形成装置が緑色を表示したときの緑色の色度座標との一致、及び、所望の色再現範囲における青色の色度座標と、画像形成装置が青色を表示したときの青色の色度座標との一致が得られるような値であり、
所望の色再現範囲は、複数の画素によって得られる赤色の色度座標と緑色の色度座標と青色の色度座標とに基づき得られる複数の色再現範囲を重ね合わせて得られた共通色再現範囲、あるいは又、共通色再現範囲を拡張したものである画像表示装置。
【請求項２】
（Ａ）２次元マトリクス状に配列された複数の画素を備えた画像形成装置、
（Ｂ）画像形成装置の画素から出射された光を平行光とするコリメート光学系、
（Ｃ）コリメート光学系にて進行方位の異なる複数の平行光とされた光が入射され、導光され、出射される光学装置、及び、
（Ｄ）画像形成装置を駆動するための駆動回路、
を備えた画像表示装置であって、
光学装置は、
（ａ）入射された光が内部を全反射により伝播した後、出射される導光板、
（ｂ）導光板に入射された光が導光板の内部で全反射されるように、導光板に入射された光を回折反射する、反射型体積ホログラム回折格子から成り、導光板に配設された第１回折格子部材、及び、
（ｃ）導光板の内部を全反射により伝播した光を、複数回、回折反射し、導光板から出射する、反射型体積ホログラム回折格子から成り、導光板に配設された第２回折格子部材、
を備えており、
駆動回路は、画素を駆動するための駆動信号を補正係数に基づき補正する補正回路を備えており、
第２回折格子部材の中心を原点とし、原点を通る第２回折格子部材の法線をＸ軸、原点を通る導光板の軸線をＹ軸としたとき、補正係数は、Ｙ軸方向と光学的に等価の方向に沿った画像形成装置における画素に応じて異なる値を有し、
画素に応じた補正係数は、所望の色再現範囲における基準白色の色度座標と、画像形成装置が赤色、緑色及び青色を表示したときの基準白色の色度座標との一致が得られるような値であり、
所望の色再現範囲における基準白色の色度座標は、複数の画素によって得られる赤色の色度座標と緑色の色度座標と青色の色度座標とに基づき得られる複数の色再現範囲を重ね合わせて得られた共通色再現範囲における白色の色度座標である画像表示装置。
【請求項３】
補正係数は、駆動信号を構成する輝度信号を補正する係数である請求項１又は請求項２に記載の画像表示装置。
【請求項４】
（Ａ）光源、
（Ｂ）光源から出射された光を走査して、２次元マトリクス状に配列された仮想の画素を形成する走査光学系、
（Ｃ）走査光学系からの光が入射され、導光され、出射される光学装置、及び、
（Ｄ）駆動回路、
を備えた画像表示装置であって、
光学装置は、
（ａ）入射された光が内部を全反射により伝播した後、出射される導光板、
（ｂ）導光板に入射された光が導光板の内部で全反射されるように、導光板に入射された光を回折反射する、反射型体積ホログラム回折格子から成り、導光板に配設された第１回折格子部材、及び、
（ｃ）導光板の内部を全反射により伝播した光を、複数回、回折反射し、導光板から出射する、反射型体積ホログラム回折格子から成り、導光板に配設された第２回折格子部材、
を備えており、
駆動回路は、
仮想の画素にて表示すべき表示階調に対応して光源を駆動するための駆動信号を出力する光源制御回路、及び、
仮想の画素に対応する該駆動信号を補正係数に基づき補正する補正回路、
を備えており、
第２回折格子部材の中心を原点とし、原点を通る第２回折格子部材の法線をＸ軸、原点を通る導光板の軸線をＹ軸としたとき、補正係数は、Ｙ軸方向と光学的に等価の方向に沿った仮想の画素に応じて異なる値を有し、
補正係数は、所望の色再現範囲における赤色の色度座標と、光源が赤色を出射したときに得られる赤色の色度座標との一致、所望の色再現範囲における緑色の色度座標と、光源が緑色を出射したときに得られる緑色の色度座標との一致、及び、所望の色再現範囲における青色の色度座標と、光源が青色を出射したときに得られる青色の色度座標との一致が得られるような値であり、
所望の色再現範囲は、複数の仮想の画素によって得られる赤色の色度座標と緑色の色度座標と青色の色度座標とに基づき得られる複数の色再現範囲を重ね合わせて得られた共通色再現範囲、あるいは又、共通色再現範囲を拡張したものである画像表示装置。
【請求項５】
（Ａ）光源、
（Ｂ）光源から出射された光を走査して、２次元マトリクス状に配列された仮想の画素を形成する走査光学系、
（Ｃ）走査光学系からの光が入射され、導光され、出射される光学装置、及び、
（Ｄ）駆動回路、
を備えた画像表示装置であって、
光学装置は、
（ａ）入射された光が内部を全反射により伝播した後、出射される導光板、
（ｂ）導光板に入射された光が導光板の内部で全反射されるように、導光板に入射された光を回折反射する、反射型体積ホログラム回折格子から成り、導光板に配設された第１回折格子部材、及び、
（ｃ）導光板の内部を全反射により伝播した光を、複数回、回折反射し、導光板から出射する、反射型体積ホログラム回折格子から成り、導光板に配設された第２回折格子部材、
を備えており、
駆動回路は、
仮想の画素にて表示すべき表示階調に対応して光源を駆動するための駆動信号を出力する光源制御回路、及び、
仮想の画素に対応する該駆動信号を補正係数に基づき補正する補正回路、
を備えており、
第２回折格子部材の中心を原点とし、原点を通る第２回折格子部材の法線をＸ軸、原点を通る導光板の軸線をＹ軸としたとき、補正係数は、Ｙ軸方向と光学的に等価の方向に沿った仮想の画素に応じて異なる値を有し、
仮想の画素に応じた補正係数は、所望の色再現範囲における基準白色の色度座標と、光源が赤色、緑色及び青色を表示したときに得られる基準白色の色度座標との一致が得られるような値であり、
所望の色再現範囲における基準白色の色度座標は、複数の仮想の画素によって得られる赤色の色度座標と緑色の色度座標と青色の色度座標とに基づき得られる複数の色再現範囲を重ね合わせて得られた共通色再現範囲における白色の色度座標である画像表示装置。
【請求項６】
補正係数は、駆動信号を構成する輝度信号を補正する係数である請求項４又は請求項５に記載の画像表示装置。
【請求項７】
（Ａ）２次元マトリクス状に配列された複数の画素に相当する光を出射する画像形成手段、
（Ｂ）画像形成手段を駆動するための駆動信号を出力する駆動回路、及び、
（Ｃ）画像形成手段から出射された光を投射する回折光学素子を含む投射光学系、
を備えた画像表示装置であって、
駆動回路は、画素に対応する駆動信号を補正係数に基づき補正する補正回路を備えており、
補正係数は、少なくとも回折光学素子に形成された干渉縞に光学的に直交する方向と光学的に等価の方向に沿った画像形成手段における画素に応じて異なる値を有し、
補正係数は、所望の色再現範囲における赤色の色度座標と、画像形成手段が赤色を表示したときの赤色の色度座標との一致、所望の色再現範囲における緑色の色度座標と、画像形成手段が緑色を表示したときの緑色の色度座標との一致、及び、所望の色再現範囲における青色の色度座標と、画像形成手段が青色を表示したときの青色の色度座標との一致が得られるような値であり、
所望の色再現範囲は、画像形成手段が赤色を表示したときの複数の画素によって得られる赤色の色度座標と、画像形成手段が緑色を表示したときの複数の画素によって得られる緑色の色度座標と、画像形成手段が青色を表示したときの複数の画素によって得られる青色の色度座標とに基づき得られる複数の色再現範囲を重ね合わせて得られた共通色再現範囲、あるいは又、共通色再現範囲を拡張したものである画像表示装置。
【請求項８】
（Ａ）２次元マトリクス状に配列された複数の画素に相当する光を出射する画像形成手段、
（Ｂ）画像形成手段を駆動するための駆動信号を出力する駆動回路、及び、
（Ｃ）画像形成手段から出射された光を投射する回折光学素子を含む投射光学系、
を備えた画像表示装置であって、
駆動回路は、画素に対応する駆動信号を補正係数に基づき補正する補正回路を備えており、
補正係数は、少なくとも回折光学素子に形成された干渉縞に光学的に直交する方向と光学的に等価の方向に沿った画像形成手段における画素に応じて異なる値を有し、
画素に応じた補正係数は、所望の色再現範囲における基準白色の色度座標と、画像形成手段が赤色、緑色及び青色を表示したときの基準白色の色度座標との一致が得られるような値であり、
所望の色再現範囲における基準白色の色度座標は、画像形成手段が赤色を表示したときの複数の画素によって得られる赤色の色度座標と、画像形成手段が緑色を表示したときの複数の画素によって得られる緑色の色度座標と、画像形成手段が青色を表示したときの複数の画素によって得られる青色の色度座標とに基づき得られる複数の色再現範囲を重ね合わせて得られた共通色再現範囲における白色の色度座標である画像表示装置。
【請求項９】
画像形成手段は、
２次元マトリクス状に配列された複数の画素を備えた画像形成装置、及び、
画像形成装置の画素から出射された光を平行光とするコリメート光学系、
から成る請求項７又は請求項８に記載の画像表示装置。
【請求項１０】
画像形成手段は、
光源、及び、
光源から出射された光を走査して、２次元マトリクス状に配列された仮想の画素を形成する走査光学系、
から成り、
フィールドシーケンシャル方式に基づき、光源は作動させられる請求項７又は請求項８に記載の画像表示装置。
【請求項１１】
補正係数は、駆動信号を構成する輝度信号を補正する係数である請求項７乃至請求項１０のいずれか１項に記載の画像表示装置。
【請求項１２】
（Ａ）２次元マトリクス状に配列された複数の画素を備えた画像形成装置、
（Ｂ）画像形成装置の画素から出射された光を平行光とするコリメート光学系、
（Ｃ）コリメート光学系にて進行方位の異なる複数の平行光とされた光が入射され、導光され、出射される光学装置、及び、
（Ｄ）画像形成装置を駆動するための駆動回路、
を備えている画像表示装置であって、
光学装置は、
（ａ）入射された光が内部を全反射により伝播した後、出射される導光板、
（ｂ）導光板に入射された光が導光板の内部で全反射されるように、導光板に入射された光を回折反射する、反射型体積ホログラム回折格子から成り、導光板に配設された第１回折格子部材、及び、
（ｃ）導光板の内部を全反射により伝播した光を、複数回、回折反射し、導光板から出射する、反射型体積ホログラム回折格子から成り、導光板に配設された第２回折格子部材、
を備えており、
駆動回路は、画素を駆動するための駆動信号を補正係数に基づき補正する補正回路を備えている画像表示装置の駆動方法であって、
第２回折格子部材の中心を原点とし、原点を通る第２回折格子部材の法線をＸ軸、原点を通る導光板の軸線をＹ軸としたとき、Ｙ軸方向と光学的に等価の方向に沿った画像形成装置における画素に応じて異なる値を有する補正係数によって、駆動信号を補正し、
補正係数は、所望の色再現範囲における赤色の色度座標と、画像形成装置が赤色を表示したときの赤色の色度座標との一致、所望の色再現範囲における緑色の色度座標と、画像形成装置が緑色を表示したときの緑色の色度座標との一致、及び、所望の色再現範囲における青色の色度座標と、画像形成装置が青色を表示したときの青色の色度座標との一致が得られるような値であり、
所望の色再現範囲は、複数の画素によって得られる赤色の色度座標と緑色の色度座標と青色の色度座標とに基づき得られる複数の色再現範囲を重ね合わせて得られた共通色再現範囲、あるいは又、共通色再現範囲を拡張したものである画像表示装置の駆動方法。
【請求項１３】
（Ａ）２次元マトリクス状に配列された複数の画素を備えた画像形成装置、
（Ｂ）画像形成装置の画素から出射された光を平行光とするコリメート光学系、
（Ｃ）コリメート光学系にて進行方位の異なる複数の平行光とされた光が入射され、導光され、出射される光学装置、及び、
（Ｄ）画像形成装置を駆動するための駆動回路、
を備えている画像表示装置であって、
光学装置は、
（ａ）入射された光が内部を全反射により伝播した後、出射される導光板、
（ｂ）導光板に入射された光が導光板の内部で全反射されるように、導光板に入射された光を回折反射する、反射型体積ホログラム回折格子から成り、導光板に配設された第１回折格子部材、及び、
（ｃ）導光板の内部を全反射により伝播した光を、複数回、回折反射し、導光板から出射する、反射型体積ホログラム回折格子から成り、導光板に配設された第２回折格子部材、
を備えており、
駆動回路は、画素を駆動するための駆動信号を補正係数に基づき補正する補正回路を備えている画像表示装置の駆動方法であって、
第２回折格子部材の中心を原点とし、原点を通る第２回折格子部材の法線をＸ軸、原点を通る導光板の軸線をＹ軸としたとき、Ｙ軸方向と光学的に等価の方向に沿った画像形成装置における画素に応じて異なる値を有する補正係数によって、駆動信号を補正し、
画素に応じた補正係数は、所望の色再現範囲における基準白色の色度座標と、画像形成装置が赤色、緑色及び青色を表示したときの基準白色の色度座標との一致が得られるような値であり、
所望の色再現範囲における基準白色の色度座標は、複数の画素によって得られる赤色の色度座標と緑色の色度座標と青色の色度座標とに基づき得られる複数の色再現範囲を重ね合わせて得られた共通色再現範囲における白色の色度座標である画像表示装置の駆動方法。
【請求項１４】
（Ａ）光源、
（Ｂ）光源から出射された光を走査して、２次元マトリクス状に配列された仮想の画素を形成する走査光学系、
（Ｃ）走査光学系からの光が入射され、導光され、出射される光学装置、及び、
（Ｄ）駆動回路、
を備えている画像表示装置であって、
光学装置は、
（ａ）入射された光が内部を全反射により伝播した後、出射される導光板、
（ｂ）導光板に入射された光が導光板の内部で全反射されるように、導光板に入射された光を回折反射する、反射型体積ホログラム回折格子から成り、導光板に配設された第１回折格子部材、及び、
（ｃ）導光板の内部を全反射により伝播した光を、複数回、回折反射し、導光板から出射する、反射型体積ホログラム回折格子から成り、導光板に配設された第２回折格子部材、
を備えており、
駆動回路は、
仮想の画素にて表示すべき表示階調に対応して光源を駆動するための駆動信号を出力する光源制御回路、及び、
仮想の画素に対応する該駆動信号を補正係数に基づき補正する補正回路、
を備えている画像表示装置の駆動方法であって、
第２回折格子部材の中心を原点とし、原点を通る第２回折格子部材の法線をＸ軸、原点を通る導光板の軸線をＹ軸としたとき、Ｙ軸方向と光学的に等価の方向に沿った仮想の画素に応じて異なる値を有する補正係数によって、駆動信号を補正し、
補正係数は、所望の色再現範囲における赤色の色度座標と、光源が赤色を出射したときに得られる赤色の色度座標との一致、所望の色再現範囲における緑色の色度座標と、光源が緑色を出射したときに得られる緑色の色度座標との一致、及び、所望の色再現範囲における青色の色度座標と、光源が青色を出射したときに得られる青色の色度座標との一致が得られるような値であり、
所望の色再現範囲は、複数の仮想の画素によって得られる赤色の色度座標と緑色の色度座標と青色の色度座標とに基づき得られる複数の色再現範囲を重ね合わせて得られた共通色再現範囲、あるいは又、共通色再現範囲を拡張したものである画像表示装置の駆動方法。
【請求項１５】
（Ａ）光源、
（Ｂ）光源から出射された光を走査して、２次元マトリクス状に配列された仮想の画素を形成する走査光学系、
（Ｃ）走査光学系からの光が入射され、導光され、出射される光学装置、及び、
（Ｄ）駆動回路、
を備えている画像表示装置であって、
光学装置は、
（ａ）入射された光が内部を全反射により伝播した後、出射される導光板、
（ｂ）導光板に入射された光が導光板の内部で全反射されるように、導光板に入射された光を回折反射する、反射型体積ホログラム回折格子から成り、導光板に配設された第１回折格子部材、及び、
（ｃ）導光板の内部を全反射により伝播した光を、複数回、回折反射し、導光板から出射する、反射型体積ホログラム回折格子から成り、導光板に配設された第２回折格子部材、
を備えており、
駆動回路は、
仮想の画素にて表示すべき表示階調に対応して光源を駆動するための駆動信号を出力する光源制御回路、及び、
仮想の画素に対応する該駆動信号を補正係数に基づき補正する補正回路、
を備えている画像表示装置の駆動方法であって、
第２回折格子部材の中心を原点とし、原点を通る第２回折格子部材の法線をＸ軸、原点を通る導光板の軸線をＹ軸としたとき、Ｙ軸方向と光学的に等価の方向に沿った仮想の画素に応じて異なる値を有する補正係数によって、駆動信号を補正し、
仮想の画素に応じた補正係数は、所望の色再現範囲における基準白色の色度座標と、光源が赤色、緑色及び青色を表示したときに得られる基準白色の色度座標との一致が得られるような値であり、
所望の色再現範囲における基準白色の色度座標は、複数の仮想の画素によって得られる赤色の色度座標と緑色の色度座標と青色の色度座標とに基づき得られる複数の色再現範囲を重ね合わせて得られた共通色再現範囲における白色の色度座標である画像表示装置の駆動方法。
【請求項１６】
（Ａ）２次元マトリクス状に配列された複数の画素に相当する光を出射する画像形成手段、
（Ｂ）画像形成手段を駆動するための駆動信号を出力する駆動回路、及び、
（Ｃ）画像形成手段から出射された光を投射する回折光学素子を含む投射光学系、
を備えている画像表示装置であって、
駆動回路は、画素に対応する駆動信号を補正係数に基づき補正する補正回路を備えている画像表示装置の駆動方法であって、
少なくとも回折光学素子に形成された干渉縞に光学的に直交する方向と光学的に等価の方向に沿った画像形成手段における画素に応じて異なる値を有する補正係数によって、駆動信号を補正し、
補正係数は、所望の色再現範囲における赤色の色度座標と、画像形成手段が赤色を表示したときの赤色の色度座標との一致、所望の色再現範囲における緑色の色度座標と、画像形成手段が緑色を表示したときの緑色の色度座標との一致、及び、所望の色再現範囲における青色の色度座標と、画像形成手段が青色を表示したときの青色の色度座標との一致が得られるような値であり、
所望の色再現範囲は、画像形成手段が赤色を表示したときの複数の画素によって得られる赤色の色度座標と、画像形成手段が緑色を表示したときの複数の画素によって得られる緑色の色度座標と、画像形成手段が青色を表示したときの複数の画素によって得られる青色の色度座標とに基づき得られる複数の色再現範囲を重ね合わせて得られた共通色再現範囲、あるいは又、共通色再現範囲を拡張したものである画像表示装置の駆動方法。
【請求項１７】
（Ａ）２次元マトリクス状に配列された複数の画素に相当する光を出射する画像形成手段、
（Ｂ）画像形成手段を駆動するための駆動信号を出力する駆動回路、及び、
（Ｃ）画像形成手段から出射された光を投射する回折光学素子を含む投射光学系、
を備えている画像表示装置であって、
駆動回路は、画素に対応する駆動信号を補正係数に基づき補正する補正回路を備えている画像表示装置の駆動方法であって、
少なくとも回折光学素子に形成された干渉縞に光学的に直交する方向と光学的に等価の方向に沿った画像形成手段における画素に応じて異なる値を有する補正係数によって、駆動信号を補正し、
画素に応じた補正係数は、所望の色再現範囲における基準白色の色度座標と、画像形成手段が赤色、緑色及び青色を表示したときの基準白色の色度座標との一致が得られるような値であり、
所望の色再現範囲における基準白色の色度座標は、画像形成手段が赤色を表示したときの複数の画素によって得られる赤色の色度座標と、画像形成手段が緑色を表示したときの複数の画素によって得られる緑色の色度座標と、画像形成手段が青色を表示したときの複数の画素によって得られる青色の色度座標とに基づき得られる複数の色再現範囲を重ね合わせて得られた共通色再現範囲における白色の色度座標である画像表示装置の駆動方法。
【発明の詳細な説明】
【技術分野】
【０００１】
本発明は、画像形成装置等によって形成された２次元画像を観察者に観察させるために使用される画像表示装置及びその駆動方法に関する。
【背景技術】
【０００２】
画像形成装置によって形成された２次元画像を虚像光学系により拡大虚像として観察者に観察させるために、ホログラム回折格子を用いた虚像表示装置（画像表示装置）が、例えば、特開２００７−９４１７５から周知である。
【０００３】
この画像表示装置１０は、基本的には、図１７の（Ａ）に示すように、画像を表示する画像形成装置１１と、コリメート光学系１３と、画像形成装置１１に表示された光が入射され、観察者の瞳５０へと導く虚像光学系（光学装置２０）とを備えている。ここで、光学装置２０は、導光板２２と、導光板２２に設けられた反射型体積ホログラム回折格子から成る第１回折格子部材３０及び第２回折格子部材４０とを備えている。そして、コリメート光学系１３には画像形成装置１１の各画素から出射された光が入射され、コリメート光学系１３によって導光板２２への入射角の異なる複数の平行光が生成され、導光板２２に入射される。導光板２２の一方の光学面（第１面）２３から、平行光が入射され、出射される。一方、導光板２２の第１面２３と平行である導光板２２の他方の光学面（第２面）２４に、第１回折格子部材３０及び第２回折格子部材４０が取り付けられている。
【０００４】
導光板２２の第１面２３から入射した導光板２２への入射角の異なる複数の平行光は、第１回折格子部材３０に入射され、それぞれの平行光は、平行光のまま、回折反射される。そして、回折反射された平行光は、導光板２２の第１面２３と第２面２４との間で全反射を繰り返しながら進行し、第２回折格子部材４０に入射する。第２回折格子部材４０に入射した平行光は、回折反射されることで全反射条件から外れ、導光板２２から出射され、観察者の瞳５０に導かれる。
【０００５】
第２回折格子部材４０の内部に形成された干渉縞の形状と、第１回折格子部材３０の内部に形成された干渉縞の形状とは、導光板２２の軸線に垂直な仮想面に対して対称な関係にある。従って、第２回折格子部材４０で回折反射される平行光は、第１回折格子部材３０への入射角と等しい角度で回折反射されるので、表示画像がぼけることなく、高い解像度で瞳５０において表示される。
【０００６】
【特許文献１】特開２００７−９４１７５
【発明の開示】
【発明が解決しようとする課題】
【０００７】
ところで、この画像表示装置１０における第１回折格子部材３０及び第２回折格子部材４０の内部に形成された干渉縞は多重化されており、あるいは、回折格子が多層化されている。そして、例えば第１回折格子部材３０の拡大した模式的な一部断面図を図１７の（Ｂ）に示すように、干渉縞の傾斜角φ（第１回折格子部材３０及び第２回折格子部材４０の表面と干渉縞の成す角度）を一定としたとき、以下の問題が発生する。
【０００８】
即ち、画像形成装置１１からの出射位置に依存して、複数の平行光の第１回折格子部材３０への入射角が異なるため、第１回折格子部材３０の種々の領域でブラッグ条件を満たす回折波長（ブラッグ波長）が異なる。また、第２回折格子部材４０への入射角も異なるため、第２回折格子部材４０の種々の領域でブラッグ条件を満たす回折波長も異なる。そして、以上の結果として、第２回折格子部材４０にて回折反射され、導光板２２から出射される光によって形成される画像に色ムラが発生してしまう。
【０００９】
ここで、ブラッグ条件とは、以下の式（Ａ）を満足する条件を指す。式（Ａ）中、ｍは正の整数、λは波長、ｄは格子面のピッチ（干渉縞を含む仮想平面の法線方向の間隔）、Θは干渉縞への入射角の補角を意味する。尚、干渉縞の傾斜角φとは、回折格子部材の表面と干渉縞の成す角度を意味する。干渉縞は、回折格子部材の内部から表面に亙り、形成されている。以下においても同様である。また、入射角ψにて回折格子部材に光が侵入した場合の、Θ、傾斜角φ、入射角ψの関係は、式（Ｂ）のとおりであり、図１７の（Ｂ）に図示する。
【００１０】
ｍ・λ＝２・ｄ・ｓｉｎ（Θ）    （Ａ）
Θ＝９０°−（φ＋ψ）          （Ｂ）
【００１１】
尚、以下の説明において、第２回折格子部材４０の中心を原点Ｏとし、原点Ｏを通る第２回折格子部材４０の法線をＸ軸、原点Ｏを通る導光板２２の軸線をＹ軸とする。また、ＸＹ平面において、導光板２２から出射される光とＸ軸上の瞳５０との成す角度を画角θと呼び、原点Ｏより第１回折格子部材側の導光板２２から出射された光の画角θの値を正の値とする。尚、図１７の（Ａ）は、ＸＹ平面にて導光板２２を切断したときの模式的な断面図である。
【００１２】
図１３に、画角θを−６度から＋６度としたときの波長４８０ｎｍ乃至５６０ｎｍの光の回折効率分布を示す。図１３からも明らかなように、画角に対応して回折スペクトルが決まっている。例えば、画角θ＝＋６度の場合、回折スペクトルの中心波長（ブラッグ波長）は４９５ｎｍ付近に存在しているが（図１４の（Ａ）参照）、画角θ＝０度の場合、回折スペクトルの中心波長（ブラッグ波長）は５２２ｎｍ付近に存在し（図１４の（Ｂ）参照）、画角θ＝−６度の場合、回折スペクトルの中心波長（ブラッグ波長）は５４５ｎｍ付近に存在する（図１５参照）。このような結果を、画角θの違いによる回折効率と回折スペクトルの中心波長との関係として描いたグラフを、図１６に模式的に示す。
【００１３】
また、光源を例えば発光ダイオード（ＬＥＤ）から構成する場合の発光スペクトル分布を、図１６に模式的に示す。各画角における出射光は、光源の発光スペクトル分布と回折効率の積によって決まる。従って、各画角における出射光の色や輝度が異なることになる。それ故、得られた画像に色ムラが発生してしまう。
【００１４】
特開２００７−９４１７５においては、このような現象の発生を抑制するために、回折格子部材に形成された干渉縞の傾斜角を、回折格子部材の位置に応じて変化させている。このような対処方法は、色ムラの発生防止に極めて有効であるが、回折格子部材に形成された干渉縞の傾斜角を、回折格子部材の位置に応じて変化させるが故に、回折格子部材の製造が困難であるといった問題がある。
【００１５】
従って、本発明の目的は、簡素な構成であるにも拘わらず、色ムラの発生を効果的に防止し得る画像表示装置及びその駆動方法を提供することにある。
【課題を解決するための手段】
【００１６】
上記の目的を達成するための本発明の第１の態様に係る画像表示装置は、
（Ａ）２次元マトリクス状に配列された複数の画素を備えた画像形成装置、
（Ｂ）画像形成装置の画素から出射された光を平行光とするコリメート光学系、
（Ｃ）コリメート光学系にて進行方位の異なる複数の平行光とされた光が入射され、導光され、出射される光学装置、及び、
（Ｄ）画像形成装置を駆動するための駆動回路、
を備えた画像表示装置であって、
光学装置は、
（ａ）入射された光が内部を全反射により伝播した後、出射される導光板、
（ｂ）導光板に入射された光が導光板の内部で全反射されるように、導光板に入射された光を回折反射する、反射型体積ホログラム回折格子から成り、導光板に配設された第１回折格子部材、及び、
（ｃ）導光板の内部を全反射により伝播した光を、複数回、回折反射し、導光板から出射する、反射型体積ホログラム回折格子から成り、導光板に配設された第２回折格子部材、
を備えており、
駆動回路は、画素を駆動するための駆動信号を補正係数に基づき補正する補正回路を備えており、
第２回折格子部材の中心を原点とし、原点を通る第２回折格子部材の法線をＸ軸、原点を通る導光板の軸線をＹ軸としたとき、補正係数は、Ｙ軸方向と光学的に等価の方向に沿った画像形成装置における画素に応じて異なる値を有することを特徴とする。
【００１７】
上記の目的を達成するための本発明の第１の態様に係る画像表示装置の駆動方法は、
（Ａ）２次元マトリクス状に配列された複数の画素を備えた画像形成装置、
（Ｂ）画像形成装置の画素から出射された光を平行光とするコリメート光学系、
（Ｃ）コリメート光学系にて進行方位の異なる複数の平行光とされた光が入射され、導光され、出射される光学装置、及び、
（Ｄ）画像形成装置を駆動するための駆動回路、
を備えている画像表示装置であって、
光学装置は、
（ａ）入射された光が内部を全反射により伝播した後、出射される導光板、
（ｂ）導光板に入射された光が導光板の内部で全反射されるように、導光板に入射された光を回折反射する、反射型体積ホログラム回折格子から成り、導光板に配設された第１回折格子部材、及び、
（ｃ）導光板の内部を全反射により伝播した光を、複数回、回折反射し、導光板から出射する、反射型体積ホログラム回折格子から成り、導光板に配設された第２回折格子部材、
を備えており、
駆動回路は、画素を駆動するための駆動信号を補正係数に基づき補正する補正回路を備えている画像表示装置の駆動方法であって、
第２回折格子部材の中心を原点とし、原点を通る第２回折格子部材の法線をＸ軸、原点を通る導光板の軸線をＹ軸としたとき、Ｙ軸方向と光学的に等価の方向に沿った画像形成装置における画素に応じて異なる値を有する補正係数によって、駆動信号を補正することを特徴とする。
【００１８】
尚、以下の説明において、本発明の第１の態様に係る画像表示装置、あるいは、本発明の第１の態様に係る画像表示装置の駆動方法における画像表示装置を、総称して、単に、本発明の第１の態様に係る画像表示装置と呼ぶ場合がある。
【００１９】
上記の目的を達成するための本発明の第２の態様に係る画像表示装置は、
（Ａ）光源、
（Ｂ）光源から出射された光を走査して、２次元マトリクス状に配列された仮想の画素を形成する走査光学系、
（Ｃ）走査光学系からの光が入射され、導光され、出射される光学装置、及び、
（Ｅ）駆動回路、
を備えた画像表示装置であって、
光学装置は、
（ａ）入射された光が内部を全反射により伝播した後、出射される導光板、
（ｂ）導光板に入射された光が導光板の内部で全反射されるように、導光板に入射された光を回折反射する、反射型体積ホログラム回折格子から成り、導光板に配設された第１回折格子部材、及び、
（ｃ）導光板の内部を全反射により伝播した光を、複数回、回折反射し、導光板から出射する、反射型体積ホログラム回折格子から成り、導光板に配設された第２回折格子部材、
を備えており、
駆動回路は、
仮想の画素にて表示すべき表示階調に対応して光源を駆動するための駆動信号を出力する光源制御回路、及び、
仮想の画素に対応する該駆動信号を補正係数に基づき補正する補正回路、
を備えており、
第２回折格子部材の中心を原点とし、原点を通る第２回折格子部材の法線をＸ軸、原点を通る導光板の軸線をＹ軸としたとき、補正係数は、Ｙ軸方向と光学的に等価の方向に沿った仮想の画素に応じて異なる値を有することを特徴とする。
【００２０】
上記の目的を達成するための本発明の第２の態様に係る画像表示装置の駆動方法は、
（Ａ）光源、
（Ｂ）光源から出射された光を走査して、２次元マトリクス状に配列された仮想の画素を形成する走査光学系、
（Ｃ）走査光学系からの光が入射され、導光され、出射される光学装置、及び、
（Ｅ）駆動回路、
を備えている画像表示装置であって、
光学装置は、
（ａ）入射された光が内部を全反射により伝播した後、出射される導光板、
（ｂ）導光板に入射された光が導光板の内部で全反射されるように、導光板に入射された光を回折反射する、反射型体積ホログラム回折格子から成り、導光板に配設された第１回折格子部材、及び、
（ｃ）導光板の内部を全反射により伝播した光を、複数回、回折反射し、導光板から出射する、反射型体積ホログラム回折格子から成り、導光板に配設された第２回折格子部材、
を備えており、
駆動回路は、
仮想の画素にて表示すべき表示階調に対応して光源を駆動するための駆動信号を出力する光源制御回路、及び、
仮想の画素に対応する該駆動信号を補正係数に基づき補正する補正回路、
を備えている画像表示装置の駆動方法であって、
第２回折格子部材の中心を原点とし、原点を通る第２回折格子部材の法線をＸ軸、原点を通る導光板の軸線をＹ軸としたとき、Ｙ軸方向と光学的に等価の方向に沿った仮想の画素に応じて異なる値を有する補正係数によって、駆動信号を補正することを特徴とする。
【００２１】
尚、以下の説明において、本発明の第２の態様に係る画像表示装置、あるいは、本発明の第２の態様に係る画像表示装置の駆動方法における画像表示装置を、総称して、単に、本発明の第２の態様に係る画像表示装置と呼ぶ場合がある。
【００２２】
本発明の第２の態様に係る画像表示装置においても、光源には、光源を構成する発光素子から出射された光を平行光とするコリメート光学系が備えられていることが好ましい。また、光源は、フィールドシーケンシャル方式に基づき作動させられる形態とすることができる。
【００２３】
上記の目的を達成するための本発明の第３の態様に係る画像表示装置は、
（Ａ）２次元マトリクス状に配列された複数の画素に相当する光を出射する画像形成手段、
（Ｂ）画像形成手段を駆動するための駆動信号を出力する駆動回路、及び、
（Ｃ）画像形成手段から出射された光を投射する回折光学素子を含む投射光学系、
を備えた画像表示装置であって、
駆動回路は、画素に対応する駆動信号を補正係数に基づき補正する補正回路を備えており、
補正係数は、少なくとも回折光学素子に形成された干渉縞に光学的に直交する方向と光学的に等価の方向に沿った画像形成手段における画素に応じて異なる値を有することを特徴とする。
【００２４】
上記の目的を達成するための本発明の第３の態様に係る画像表示装置の駆動方法は、
（Ａ）２次元マトリクス状に配列された複数の画素に相当する光を出射する画像形成手段、
（Ｂ）画像形成手段を駆動するための駆動信号を出力する駆動回路、及び、
（Ｃ）画像形成手段から出射された光を投射する回折光学素子を含む投射光学系、
を備え、
駆動回路は、画素に対応する駆動信号を補正係数に基づき補正する補正回路を備えている画像表示装置の駆動方法であって、
少なくとも回折光学素子に形成された干渉縞に光学的に直交する方向と光学的に等価の方向に沿った画像形成手段における画素に応じて異なる値を有する補正係数によって、駆動信号を補正することを特徴とする。
【００２５】
尚、以下の説明において、本発明の第３の態様に係る画像表示装置、あるいは、本発明の第３の態様に係る画像表示装置の駆動方法における画像表示装置を、総称して、単に、本発明の第３の態様に係る画像表示装置と呼ぶ場合がある。
【００２６】
本発明の第３の態様に係る画像表示装置にあっては、画像形成手段を、２次元マトリクス状に配列された複数の画素を備えた画像形成装置、及び、画像形成装置の画素から出射された光を平行光とするコリメート光学系から構成することができる。あるいは又、画像形成手段を、光源、及び、光源から出射された光を走査して、２次元マトリクス状に配列された仮想の画素を形成する走査光学系から構成し、フィールドシーケンシャル方式に基づき光源が作動させられる形態とすることができる。光源には、光源を構成する発光素子から出射された光を平行光とするコリメート光学系が備えられていることが好ましい。
【００２７】
また、本発明の第３の態様に係る画像表示装置にあっては、回折光学素子に形成された干渉縞のピッチは一定であり、干渉縞は直線状である構成とすることができる。あるいは又、投射光学系は、等しいピッチの干渉縞を有する少なくとも２つの回折光学素子を含む構成とすることができる。
【００２８】
上記の好ましい構成、形態を含む本発明の第１の態様〜第３の態様に係る画像表示装置（本発明の第１の態様〜第３の態様に係る画像表示装置の駆動方法における画像表示装置を含む。以下においても同じ）においては、補正係数を、駆動信号を構成する輝度信号を補正する係数とすることができる。あるいは又、補正係数は、Ｙ軸方向と光学的に等価の方向に沿った画像形成装置における画素に応じて（本発明の第１の態様に係る画像表示装置）、また、Ｙ軸方向と光学的に等価の方向に沿った仮想の画素に応じて（本発明の第２の態様に係る画像表示装置）、また、回折光学素子に形成された干渉縞に光学的に直交する方向と光学的に等価の方向に沿った画像形成手段における画素に応じて（本発明の第３の態様に係る画像表示装置）、単調に増加又は減少する値を有する構成とすることもできる。あるいは又、補正係数を、補正前の駆動信号に基づき得られる画素（仮想の画素）における表示階調よりも小さい表示階調となるように、駆動信号を構成する輝度信号を補正する係数とすることができる。
【００２９】
また、以上の好ましい構成、形態を含む本発明の第１の態様〜第３の態様に係る画像表示装置において、補正係数を、画素（仮想の画素）における表示階調を同一階調としたときに得られる画像の評価値に基づいて決定される値とすることができる。
【００３０】
更には、以上の好ましい構成、形態を含む本発明の第１の態様及び第３の態様に係る画像表示装置において、画素に対応した評価値を、画像形成装置あるいは画像形成手段が赤色を表示したときの赤色の色度座標、緑色を表示したときの緑色の色度座標、及び、青色を表示したときの青色の色度座標とすることができ、この場合、補正係数を、所望の色再現範囲における赤色の色度座標と、画像形成装置あるいは画像形成手段が赤色を表示したときの赤色の色度座標との一致、該所望の色再現範囲における緑色の色度座標と、画像形成装置あるいは画像形成手段が緑色を表示したときの緑色の色度座標との一致、及び、該所望の色再現範囲における青色の色度座標と、画像形成装置あるいは画像形成手段が青色を表示したときの青色の色度座標との一致が得られるような値とすることができる。あるいは又、以上の好ましい構成、形態を含む本発明の第２の態様に係る画像表示装置において、仮想の画素に対応した評価値を、光源が赤色を出射したときに得られる赤色の色度座標、光源が緑色を出射したときに得られる緑色の色度座標、及び、光源が青色を出射したときに得られる青色の色度座標とすることができ、この場合、補正係数を、所望の色再現範囲における赤色の色度座標と、光源が赤色を出射したときに得られる赤色の色度座標との一致、該所望の色再現範囲における緑色の色度座標と、光源が緑色を出射したときに得られる緑色の色度座標との一致、及び、該所望の色再現範囲における青色の色度座標と、光源が青色を出射したときに得られる青色の色度座標との一致が得られるような値とすることができる。
【００３１】
あるいは又、以上の好ましい構成、形態を含む本発明の第１の態様及び第３の態様に係る画像表示装置において、画素に応じた補正係数を、所望の色再現範囲における基準白色の色度座標と、画像形成装置あるいは画像形成手段が赤色、緑色、及び、青色を表示したときの基準白色の色度座標との一致が得られるような値とすることができる。また、以上の好ましい構成、形態を含む本発明の第２の態様に係る画像表示装置において、仮想の画素に応じた補正係数を、所望の色再現範囲における基準白色の色度座標と、光源が赤色、緑色、及び、青色を出射したときに得られる基準白色の色度座標との一致が得られるような値とすることができる。
【００３２】
以上に説明した各種の好ましい構成、形態を含む本発明の第１の態様〜第３の態様に係る画像表示装置（以下、これらを総称して、単に、本発明の画像表示装置と呼ぶ場合がある）において、２次元マトリクス状に配列された画素（仮想の画素を含む）の数をＪ×Ｋ個とする。Ｊ個の画素が配列された方向を、便宜上、Ｙ’軸方向と呼び、Ｋ個の画素が配列された方向を、便宜上、Ｚ’軸方向と呼ぶ。Ｙ’軸方向に配列された画素によって、導光板から出射された光に基づきＹ軸方向に並んだ画像が生成され、Ｚ’軸方向に配列された画素によって、導光板から出射された光に基づきＺ軸方向に並んだ画像が生成される。即ち、Ｙ’軸方向は、ＸＹ平面に含まれ、あるいは又、ＸＹ平面と平行である場合があるし、Ｚ’軸方向は、ＸＺ平面と平行である場合がある。
【００３３】
そして、この場合、補正係数の数を、Ｊ×Ｋ個とすることもできるし、Ｊ個とすることもできる。即ち、後者の場合にあっては、Ｚ’軸方向に配列された画素において同じ補正係数を用いる。あるいは又、Ｊを正の整数（Ｊ0）で除した値Ｊ／Ｊ0（但し、Ｊ／Ｊ0の値は正の整数）とすることもでき、この場合、Ｊ／Ｊ0個の画素グループが存在することになるが、各画素グループ内の画素は同じ補正係数を用いればよい。補正係数を、各画素において求めることもできるし、複数の画素毎に求め、補間によって各画素における補正係数を求めてもよい。
【００３４】
また、Ｊ×Ｋ個の画素（仮想の画素を含む）において、画素（仮想の画素）における表示階調を同一階調（例えば最大階調であり、階調を、例えば、８ビット制御する場合、「２５５」で表される階調）としたときに得られる画像の評価値である赤色の色度座標、緑色の色度座標、及び、青色の色度座標に基づき得られる色再現範囲を、Ｊ×Ｋ個のそれぞれの画素において、あるいは又、Ｊ個のそれぞれの画素において（例えば、Ｙ軸方向と光学的に等価の方向に沿った画像形成装置におけるＪ個のそれぞれの画素において）、あるいは又、Ｊ／Ｊ0個の画素グループの中心に位置する画素において、あるいは、適切な数の画素毎において、実測あるいは理論的に求め、これらの色再現範囲を重ね合わせ、共通の領域（一種の「ＡＮＤ」領域）を所望の色再現範囲とすればよい。あるいは又、共通の領域を、適宜拡げて、この所望の色再現範囲とすればよい。
【００３５】
本発明の画像表示装置において、第１回折格子部材あるいは第２回折格子部材を、異なるＰ種類（例えば、Ｐ＝３であり、赤色、緑色、青色の３種類）の波長帯域（あるいは、波長）を有するＰ種類の光の回折反射に対応させるために、反射型体積ホログラム回折格子から成るＰ層の回折格子層が積層されて成る構成とすることができる。尚、各回折格子層には１種類の波長帯域（あるいは、波長）に対応する干渉縞が形成されている。あるいは又、異なるＰ種類の波長帯域（あるいは、波長）を有するＰ種類の光の回折反射に対応するために、１層の回折格子層から成る第１回折格子部材あるいは第２回折格子部材にＰ種類の干渉縞が形成されている構成とすることもできる。あるいは又、画角を例えば三等分して、第１回折格子部材あるいは第２回折格子部材を、各画角に対応する回折格子層が積層されて成る構成とすることができる。そして、これらの構成を採用することで、各波長帯域（あるいは、波長）を有する光が第１回折格子部材あるいは第２回折格子部材において回折反射されるときの回折効率の増加、回折受容角の増加、回折角の最適化を図ることができる。
【００３６】
尚、以下の説明における画角θとは、より厳密には、光学系の物体範囲を光学系の像空間から見たときの視角であると定義される。また、全反射という用語は、内部全反射、あるいは、導光板内部における全反射を意味する。更には、干渉縞の傾斜角とは、回折格子部材（あるいは回折格子層）の表面と干渉縞の成す角度を意味する。
【００３７】
本発明の画像表示装置においては、コリメート光学系にて進行方位の異なる複数の平行光とされた光を導光板に入射することが望ましいが、このような、平行光であることの要請は、これらの光が導光板へ入射したときの光波面情報が、第１回折格子部材と第２回折格子部材を介して導光板から出射された後も保存される必要があることに基づく。尚、具体的には、進行方位の異なる複数の平行光を生成するためには、コリメート光学系における焦点距離の所（位置）に、画像形成装置を位置させればよい。ここで、コリメート光学系は、画像形成装置から出射された平行光の画像形成装置における画素の位置情報を、光学装置の光学系における角度情報に変換する機能を有する。また、コリメート光学系にて進行方位の異なる複数の平行光とされる場合には、導光板においては、進行方位の異なる複数の平行光が入射され、内部を全反射により伝播した後、出射される。第１回折格子部材においては、導光板に入射された平行光が導光板の内部で全反射されるように、導光板に入射された平行光が回折反射される。更には、第２回折格子部材においては、導光板の内部を全反射により伝播した平行光が回折反射され、導光板から平行光の状態で出射される。
【００３８】
本発明の画像表示装置において、導光板は、導光板の軸線（Ｙ軸方向）と平行に延びる２つの平行面（第１面及び第２面）を有している。ここで、光が入射する導光板の面を導光板入射面、光が出射する導光板の面を導光板出射面としたとき、第１面によって導光板入射面及び導光板出射面が構成されていてもよいし、第１面によって導光板入射面が構成され、第２面によって導光板出射面が構成されていてもよい。前者の場合、第２面に第１回折格子部材及び第２回折格子部材が配置されている。一方、後者の場合、第２面に第１回折格子部材が配置され、第１面に第２回折格子部材が配置されている。
【００３９】
第１回折格子部材及び第２回折格子部材を構成する材料として、フォトポリマー材料を挙げることができる。反射型体積ホログラム回折格子から成る第１回折格子部材及び第２回折格子部材の構成材料や基本的な構造は、従来の反射型体積ホログラム回折格子の構成材料や構造と同じとすればよい。ここで、反射型体積ホログラム回折格子とは、＋１次の回折光のみを回折反射するホログラム回折格子を意味する。
【００４０】
回折格子部材には、その内部から表面に亙り干渉縞が形成されているが、係る干渉縞それ自体の形成方法は、従来の形成方法と同じとすればよい。具体的には、例えば、回折格子部材を構成する部材（例えば、フォトポリマー材料）に対して一方の側の第１の所定の方向から物体光を照射し、同時に、回折格子部材を構成する部材に対して他方の側の第２の所定の方向から参照光を照射し、物体光と参照光とによって形成される干渉縞を回折格子部材を構成する部材の内部に記録すればよい。第１の所定の方向、第２の所定の方向、物体光及び参照光の波長を適切に選択することで、回折格子部材の表面における干渉縞の所望のピッチ、干渉縞の所望の傾斜角を得ることができる。
【００４１】
第１回折格子部材及び第２回折格子部材を、反射型体積ホログラム回折格子から成るＰ層の回折格子層の積層構造から構成する場合、このような回折格子層の積層は、Ｐ層の回折格子層をそれぞれ別個に作製した後、Ｐ層の回折格子層を、例えば、紫外線硬化型接着剤を使用して積層（接着）すればよい。また、粘着性を有するフォトポリマー材料を用いて１層の回折格子層を作製した後、その上に順次粘着性を有するフォトポリマー材料を貼り付けて回折格子層を作製することで、Ｐ層の回折格子層を作製してもよい。
【００４２】
導光板を構成する材料として、石英ガラスやＢＫ７等の光学ガラスを含むガラスや、プラスチック材料（例えば、ＰＭＭＡ、ポリカーボネート樹脂、アクリル系樹脂、非晶性のポリプロピレン系樹脂、ＡＳ樹脂を含むスチレン系樹脂）を挙げることができる。導光板の形状は、平板に限定するものではなく、湾曲した形状を有していてもよい。
【００４３】
本発明の第１の態様あるいは第３の態様に係る画像表示装置を構成する画像形成装置として、例えば、有機ＥＬ（Electro Luminescence）、無機ＥＬ、発光ダイオード（ＬＥＤ）といった発光素子から構成された画像形成装置；発光素子とライト・バルブ［例えば、ＬＣＯＳ（Liquid Crystal On Silicon）等の透過型あるいは反射型の液晶表示装置、デジタルマイクロミラーデバイス（ＤＭＤ）］との組合せから成る画像形成装置を挙げることができる。また、本発明の第２の態様に係る画像表示装置における走査光学系として、光源から出射された光を水平走査及び垂直走査する走査光学系［例えば、ＭＥＭＳ（Micro Electro Mechanical Systems）、ガルバノ・ミラー］を挙げることができ、光源を構成する発光素子として、赤色発光素子、緑色発光素子、青色発光素子を挙げることができる。ここで、発光素子として、例えば、半導体レーザ素子やＬＥＤを例示することができる。画素（仮想の画素）の数は、画像表示装置に要求される仕様に基づき決定すればよく、画素（仮想の画素）の数の具体的な値として、３２０×２４０、４３２×２４０、６４０×４８０、１０２４×７６８、１９２０×１０８０を例示することができる。
【００４４】
例えば、発光素子とライト・バルブとから構成された画像形成装置あるいは光源として、全体として白色光を発光するバックライトと、赤色発光画素、緑色発光画素、及び、青色発光画素を有する液晶表示装置との組合せ以外にも、以下の構成を例示することができる。
【００４５】
［画像形成装置−Ａ］
画像形成装置−Ａは、
（α）青色を発光する第１発光素子が２次元マトリクス状に配列された第１発光パネルから成る第１画像形成装置、
（β）緑色を発光する第２発光素子が２次元マトリクス状に配列された第２発光パネルから成る第２画像形成装置、及び、
（γ）赤色を発光する第３発光素子が２次元マトリクス状に配列された第３発光パネルから成る第３画像形成装置、並びに、
（δ）第１画像形成装置、第２画像形成装置及び第３画像形成装置から射出された光を１本の光路に纏めるための手段（例えば、ダイクロイック・プリズムであり、以下の説明においても同様である）、
を備えており、
第１発光素子、第２発光素子及び第３発光素子のそれぞれの発光／非発光状態を制御する。
【００４６】
［画像形成装置−Ｂ］
画像形成装置−Ｂは、
（α）青色を発光する第１発光素子、及び、青色を発光する第１発光素子から射出された射出光の通過／非通過を制御するための第１光通過制御装置［一種のライト・バルブであり、例えば、液晶表示装置やデジタルマイクロミラーデバイス（ＤＭＤ）、ＬＣＯＳから構成され、以下の説明においても同様である］から成る第１画像形成装置、
（β）緑色を発光する第２発光素子、及び、緑色を発光する第２発光素子から射出された射出光の通過／非通過を制御するための第２光通過制御装置（ライト・バルブ）から成る第２画像形成装置、及び、
（γ）赤色を発光する第３発光素子、及び、赤色を発光する第３発光素子から射出された射出光の通過／非通過を制御するための第３光通過制御装置（ライト・バルブ）から成る第３画像形成装置、並びに、
（δ）第１光通過制御装置、第２光通過制御装置及び第３光通過制御装置を通過した光を１本の光路に纏めるための手段、
を備えており、
光通過制御装置によってこれらの発光素子から射出された射出光の通過／非通過を制御することで画像を表示する。第１発光素子、第２発光素子、第３発光素子から射出された射出光を光通過制御装置へと案内するための手段（光案内部材）として、導光部材、マイクロレンズアレイ、ミラーや反射板、集光レンズを例示することができる。
【００４７】
［画像形成装置−Ｃ］
画像形成装置−Ｃは、
（α）青色を発光する第１発光素子が２次元マトリクス状に配列された第１発光パネル、及び、第１発光パネルから射出された射出光の通過／非通過を制御するための青色光通過制御装置（ライト・バルブ）から成る第１画像形成装置、
（β）緑色を発光する第２発光素子が２次元マトリクス状に配列された第２発光パネル、及び、第２発光パネルから射出された射出光の通過／非通過を制御するための緑色光通過制御装置（ライト・バルブ）から成る第２画像形成装置、
（γ）赤色を発光する第３発光素子が２次元マトリクス状に配列された第３発光パネル、及び、第３発光パネルから射出された射出光の通過／非通過を制御するための赤色光通過制御装置（ライト・バルブ）から成る第３画像形成装置、並びに、
（δ）青色光通過制御装置、緑色光通過制御装置及び赤色光通過制御装置を通過した光を１本の光路に纏めるための手段を備えており、
光通過制御装置（ライト・バルブ）によってこれらの第１発光パネル、第２発光パネル及び第３発光パネルから射出された射出光の通過／非通過を制御することで画像を表示する。
【００４８】
［画像形成装置−Ｄ］
画像形成装置−Ｄは、フィールドシーケンシャル方式のカラー表示の画像形成装置であり、
（α）青色を発光する第１発光素子を備えた第１画像形成装置、
（β）緑色を発光する第２発光素子を備えた第２画像形成装置、及び、
（γ）赤色を発光する第３発光素子を備えた第３画像形成装置、並びに、
（δ）第１画像形成装置、第２画像形成装置及び第３画像形成装置から射出された光を１本の光路に纏めるための手段、更には、
（ε）１本の光路に纏めるための手段から射出された光の通過／非通過を制御するための光通過制御装置（ライト・バルブ）、
を備えており、
光通過制御装置によってこれらの発光素子から射出された射出光の通過／非通過を制御することで画像を表示する。
【００４９】
［画像形成装置−Ｅ］
画像形成装置−Ｅも、フィールドシーケンシャル方式のカラー表示の画像形成装置であり、
（α）青色を発光する第１発光素子が２次元マトリクス状に配列された第１発光パネルから成る第１画像形成装置、
（β）緑色を発光する第２発光素子が２次元マトリクス状に配列された第２発光パネルから成る第２画像形成装置、及び、
（γ）赤色を発光する第３発光素子が２次元マトリクス状に配列された第３発光パネルから成る第３画像形成装置、並びに、
（δ）第１画像形成装置、第２画像形成装置及び第３画像形成装置のそれぞれから射出された光を１本の光路に纏めるための手段、更には、
（ε）１本の光路に纏めるための手段から射出された光の通過／非通過を制御するための光通過制御装置（ライト・バルブ）、
を備えており、
光通過制御装置によってこれらの発光パネルから射出された射出光の通過／非通過を制御することで画像を表示する。
【００５０】
［画像形成装置−Ｆ］
画像形成装置−Ｆは、第１発光素子、第２発光素子及び第３発光素子のそれぞれの発光／非発光状態を制御することで画像を表示する、パッシブマトリックスタイプあるいはアクティブマトリックスタイプのカラー表示の画像形成装置である。
【００５１】
［画像形成装置−Ｇ］
画像形成装置−Ｇは、２次元マトリクス状に配列された発光素子ユニットからの射出光の通過／非通過を制御するための光通過制御装置（ライト・バルブ）を備えており、発光素子ユニットにおける第１発光素子、第２発光素子及び第３発光素子のそれぞれの発光／非発光状態を時分割制御し、更に、光通過制御装置によって第１発光素子、第２発光素子及び第３発光素子から射出された射出光の通過／非通過を制御することで画像を表示する、フィールドシーケンシャル方式のカラー表示の画像形成装置である。
【００５２】
本発明の画像表示装置を構成するコリメート光学系として、凸レンズ、凹レンズ、自由曲面プリズム、ホログラムレンズを、単独、若しくは、組み合わせた、全体として正の光学的パワーを持つ光学系を例示することができる。
【００５３】
本発明の画像表示装置によって、例えば、ＨＭＤを構成することができ、装置の軽量化、小型化を図ることができ、装置装着時の不快感を大幅に軽減させることが可能となるし、更には、製造コストダウンを図ることも可能となる。
【００５４】
駆動回路それ自体は周知の回路から構成すればよく、係る駆動回路に補正回路が付属されている。補正回路は、例えば、制御回路、補正データ格納部、演算回路、補正係数生成部、乗算器、加算器等から構成されているが、これらの構成要素それ自体も周知の回路等から構成することができる。
【発明の効果】
【００５５】
本発明の第１の態様に係る画像表示装置あるいはその駆動方法において、補正係数は、Ｙ軸方向と光学的に等価の方向に沿った画像形成装置における画素に応じて異なる値を有し、本発明の第２の態様に係る画像表示装置あるいはその駆動方法において、補正係数は、Ｙ軸方向と光学的に等価の方向に沿った仮想の画素に応じて異なる値を有し、本発明の第３の態様に係る画像表示装置あるいはその駆動方法において、補正係数は、少なくとも回折光学素子に形成された干渉縞に光学的に直交する方向と光学的に等価の方向に沿った画像形成手段における画素に応じて異なる値を有する。従って、各画角において画像表示装置から出射される光の色や輝度が異なるといった現象の発生を抑制することができ、得られた画像に色ムラが発生することが無く、高い表示品質を有する画像表示装置を提供することができる。
【発明を実施するための最良の形態】
【００５６】
以下、図面を参照して、実施例に基づき本発明を説明する。尚、以下の説明において、第２回折格子部材の中心を原点Ｏとし、原点Ｏを通る第２回折格子部材の法線をＸ軸、原点Ｏを通る導光板の軸線をＹ軸とし、原点Ｏを通り、Ｘ軸及びＹ軸に垂直な軸をＺ軸とする。即ち、導光板の軸線（Ｙ軸）とは、第２回折格子部材（回折光学素子）に形成された干渉縞に光学的に直交する方向を指し、あるいは又、導光板の内部を全反射により伝播する平行光を巨視的に眺めたときの進行方向を指す。
【実施例１】
【００５７】
実施例１は、本発明の第１の態様及び第３の態様に係る画像表示装置及びその駆動方法に関する。実施例１の画像表示装置、あるいは又、実施例１の画像表示装置の駆動方法における画像表示装置の概念図を図１に示す。本発明の第１の態様に沿って実施例１の画像表示装置１０を説明すると、
（Ａ）２次元マトリクス状に配列された複数の画素を備えた画像形成装置１１、
（Ｂ）画像形成装置１１の画素から出射された光を平行光とするコリメート光学系１３、
（Ｃ）コリメート光学系１３にて進行方位の異なる複数の平行光とされた光が入射され、導光され、出射される光学装置２０、及び、
（Ｄ）画像形成装置１１を駆動するための駆動回路６０、
を備えている。そして、光学装置２０は、
（ａ）入射された光が内部を全反射により伝播した後、出射される導光板２２、
（ｂ）導光板２２に入射された光が導光板２２の内部で全反射されるように、導光板２２に入射された光を回折反射する、反射型体積ホログラム回折格子から成り、導光板２２に配設された第１回折格子部材３０、及び、
（ｃ）導光板２２の内部を全反射により伝播した光を、複数回、回折反射し、導光板２２から出射する、反射型体積ホログラム回折格子から成り、導光板２２に配設された第２回折格子部材４０、
を備えている。尚、参照番号５０は、画像観察者の瞳である。
【００５８】
あるいは又、本発明の第３の態様に沿って実施例１の画像表示装置１０を説明すると、
（Ａ）２次元マトリクス状に配列された複数の画素に相当する光を出射する画像形成手段１２、
（Ｂ）画像形成手段１２を駆動するための駆動信号を出力する駆動回路６０、及び、
（Ｃ）画像形成手段１２から出射された光を投射する回折光学素子を含む投射光学系２１、
を備えている。尚、画像形成手段１２は、２次元マトリクス状に配列された複数の画素を備えた画像形成装置１１、及び、画像形成装置１１の各画素から出射された光を平行光とするコリメート光学系１３から構成されている。また、第２回折格子部材４０が回折光学素子に該当する。あるいは又、投射光学系２１は、等しいピッチの干渉縞を有する少なくとも２つの回折光学素子を含むが、第２回折格子部材４０が一方の回折光学素子に該当し、第１回折格子部材３０が他方の回折光学素子に該当する。
【００５９】
ここで、実施例１、あるいは、後述する実施例２〜実施例３にあっては、第１回折格子部材３０及び第２回折格子部材４０を、異なるＰ種類（具体的には、Ｐ＝３であり、赤色、緑色、青色の３種類）の波長帯域（あるいは、波長）を有するＰ種類の光の回折反射に対応させるために、反射型体積ホログラム回折格子から成るＰ層の回折格子層が積層されて成る構成としている。尚、フォトポリマー材料から成る各回折格子層には、１種類の波長帯域（あるいは、波長）に対応する干渉縞が形成されており、従来の方法で作製されている。より具体的には、赤色の光を回折反射する回折格子層と、緑色の光を回折反射する回折格子層と、青色の光を回折反射する回折格子層とが積層された構造を、第１回折格子部材３０及び第２回折格子部材４０は有する。回折格子層（回折光学素子）に形成された干渉縞のピッチは一定であり、干渉縞は直線状であり、Ｚ軸方向に平行である。尚、図１においては、第１回折格子部材３０及び第２回折格子部材４０を１層で示した。このような構成を採用することで、各波長帯域（あるいは、波長）を有する光が第１回折格子部材３０及び第２回折格子部材４０において回折反射されるときの回折効率の増加、回折受容角の増加、回折角の最適化を図ることができる。
【００６０】
実施例１において、画像形成装置１１は、例えば、２次元マトリクス状に配列された複数（例えば、Ｊ×Ｋ＝３２０×２４０個）の画素（液晶セル）を備えた液晶表示装置（ＬＣＤ）から構成され、コリメート光学系１３は、例えば、凸レンズから構成され、進行方位の異なる複数の平行光を生成するために、コリメート光学系１３における焦点距離の所（位置）に画像形成装置１１が配置されている。
【００６１】
ここで、導光板２２は、導光板２２の軸線（Ｙ軸方向）と平行に延びる２つの平行面（第１面２３及び第２面２４）を有している。第１面２３と第２面２４とは対向している。そして、第１面２３から平行光が入射され、内部を全反射により伝播した後、第１面２３から出射される。第１回折格子部材３０は、導光板２２の第２面２４に配設されており、第１面２３から導光板２２に入射されたこの平行光が導光板２２の内部で全反射されるように、導光板２２に入射されたこの平行光を回折反射する。更には、第２回折格子部材４０は、導光板２２の第２面２４に配設されており、導光板２２の内部を全反射により伝播したこの平行光を、複数回、回折反射し、導光板２２から平行光のまま第１面２３から出射する。但し、これに限定するものではなく、第２面２４によって導光板入射面が構成され、第１面２３によって導光板出射面が構成されていてもよい。
【００６２】
実施例１において、導光板２２にあっては、赤色、緑色及び青色の３色の平行光が内部を全反射により伝播した後、出射される。このとき、導光板２２が薄く導光板２２の内部を進行する光路が長いため、各画角によって第２回折格子部材４０に至るまでの全反射回数は異なっている。より詳細に述べれば、導光板２２に入射する平行光のうち、第２回折格子部材４０に近づく方向の角度をもって入射する平行光の反射回数は、第２回折格子部材４０から離れる方向の角度をもって導光板２２に入射する平行光の反射回数よりも少ない。これは、第１回折格子部材３０において回折反射される出射角が、第２回折格子部材４０に近づく方向の角度をもって入射する平行光の方が、これと逆方向の角度をもって入射する平行光の出射角よりも大きくなるからである。また、第２回折格子部材４０の内部に形成された干渉縞の形状と、第１回折格子部材３０の内部に形成された干渉縞の形状とは、導光板２２の軸線に垂直な仮想面に対して対称な関係にある。従って、第２回折格子部材４０において回折反射される各平行光の出射角は、第１回折格子部材３０への入射角と等しい。後述する実施例２〜実施例３においても同様である。
【００６３】
駆動回路６０は、画素を駆動するための駆動信号を補正係数に基づき補正する補正回路７０を備えている。そして、補正係数は、Ｙ軸方向と光学的に等価の方向に沿った画像形成装置１１における画素に応じて異なる値を有する。あるいは又、別の表現をすれば、駆動回路６０は、画素に対応する駆動信号を補正係数に基づき補正する補正回路７０を備えている。そして、補正係数は、少なくとも回折光学素子（第２回折格子部材４０が該当する）に形成された干渉縞に光学的に直交する方向（Ｙ軸方向）と光学的に等価の方向に沿った画像形成装置１１（画像形成手段１２）における画素に応じて異なる値を有する。
【００６４】
駆動回路６０の構成例を、図２の回路図に示す。駆動回路６０それ自体は周知の回路から構成されており、図２に示すように、映像信号処理回路６１を含んでいる。補正回路７０は、タイミング生成回路７１、補正係数生成部７２、制御回路（コントローラ）７３、補正データ格納部７４、補正係数演算回路７５（９つの乗算器７６及び３つの加算器７７を含む）から構成されているが、これらの構成要素それ自体も周知の回路等から構成されている。
【００６５】
従来の画像表示装置にあっては、前述したとおり、第１回折格子部材３０、第２回折格子部材４０のＹ軸方向に沿って画角θが変化したとき、色の変化が発生する。
【００６６】
色が変化する様子を、図３のｘｙ色度図を用いて、以下、説明する。図３の「Ａ」で示す色再現範囲は、マイナスの画角（−θ）にて観察者の瞳５０に入射する画面における赤色、緑色、青色の色度点を結んだ色再現範囲であり、ＷAは、その時の基準白色の色度点である。また、図３の「Ｂ」で示す色再現範囲は、±０度の画角（θ＝±０）にて観察者の瞳５０に入射する画面における赤色、緑色、青色の色度点を結んだ色再現範囲であり、ＷBは、その時の基準白色の色度点である。更には、図３の「Ｃ」で示す色再現範囲は、プラスの画角（＋θ）にて観察者の瞳５０に入射する画面における赤色、緑色、青色の色度点を結んだ色再現範囲であり、ＷCは、その時の基準白色の色度点である。図３からも判るように、実施例１の画像表示装置にあっては、画角θが変化すると、赤色、緑色、及び、青色の色度点が変化し、色再現範囲も変化してしまう。また、赤色、緑色、及び、青色の色度点が変化するので、これらの色の混色である基準白色の色度点も変化し、画像表示装置のホワイトバランスが崩れ、均一な白色を表示することができなくなる。
【００６７】
そこで、実施例１の画像表示装置にあっては、Ｙ軸方向と光学的に等価の方向に沿った画像形成装置１１における画素に応じて異なる値を有する補正係数によって駆動信号を補正することで、あるいは又、少なくとも回折光学素子（第２回折格子部材４０が該当する）に形成された干渉縞に光学的に直交する方向（Ｙ軸方向）と光学的に等価の方向に沿った画像形成装置１１（画像形成手段１２）における画素に応じて異なる値を有する補正係数によって駆動信号を補正することで、画像の色ムラを低減させる。
【００６８】
以下、実施例１における補正係数の算出方法について説明する。
【００６９】
実施例１の画像表示装置にあっては、前述したとおり、Ｙ軸方向に沿った画角θの変化に伴い、色再現範囲が変化する。種々の画角における色再現範囲を求めた結果を、図４に多数の三角形で示す。ここで、多数の色再現範囲における共通の領域（一種の「ＡＮＤ」領域）を太い三角形で示すが、この色再現範囲における共通の領域が、全ての画角において再現可能な色再現範囲となる。尚、この色再現範囲における共通の領域を、便宜上、『共通色再現範囲』と呼ぶ。そして、共通色再現範囲を規定する赤色、緑色、及び、青色の色度点を決定しておき、各画角における赤色、緑色、及び、青色の階調を制御して、赤色、緑色、及び、青色を加法混色することで、全ての画角において色再現範囲が共通色再現範囲内に収まるように、各画素の駆動信号の補正を行う。尚、このように色再現範囲が共通色再現範囲内に収まるように各画素を駆動するための駆動信号の補正を行うということによって、補正前の駆動信号に基づき得られる画素における表示階調よりも小さい表示階調となる。
【００７０】
ここで、赤色の画素を駆動する駆動信号（赤色駆動信号と呼ぶ）、緑色の画素を駆動する駆動信号（緑色駆動信号と呼ぶ）、青色の画素を駆動する駆動信号（青色駆動信号と呼ぶ）の規格化された値（階調を制御する輝度信号の値）を（Ｒi，Ｇi，Ｂi）とする。この規格化された輝度信号の値（Ｒi，Ｇi，Ｂi）は、補正前の駆動信号を構成する輝度信号の値であり、例えば、駆動信号を構成する輝度信号が８ビットの場合、０〜２５５の値をとる。一方、色再現範囲が共通色再現範囲内に収まるように、各画素の駆動の補正を行った後の駆動信号、より具体的には、赤色駆動信号、緑色駆動信号、青色駆動信号の規格化された輝度信号の値を（Ｒo，Ｇo，Ｂo）とする。また、Ｙ’軸方向に配列された画素の位置をｊ［但し、ｊ＝１，２、・・・（Ｊ−１），Ｊ］とする。更には、係数ａR-j，ａG-j，ａB-j，ｂR-j，ｂG-j，ｂB-j，ｃR-j，ｃG-j，ｃB-jを、以下のとおり、定義する。
【００７１】
尚、以下の説明にあっては、Ｙ’軸方向に沿ったＪ個の画素に対するＪ個の補正係数を求め、Ｚ’軸方向に配列された画素にあっては同じ補正係数を用いることとするが、これに限定するものではなく、補正係数の数をＪ×Ｋ個とすることもでき、この場合、補正係数を、各画素において求めることもできるし、複数の画素毎に求め、補間によって各画素における補正係数を求めてもよい。あるいは又、Ｊを正の整数（Ｊ0）で除した値Ｊ／Ｊ0（但し、Ｊ／Ｊ0の値は正の整数）とすることもでき。この場合、Ｊ／Ｊ0個の画素グループが存在することになるが、各画素グループ内の画素は同じ補正係数を用いればよい。後述する実施例２〜実施例３においても同様である。
【００７２】
ａR-j：補正後の赤色駆動信号の規格化された輝度信号値Ｒo-jを求めるために補正前の赤色駆動信号の規格化された輝度信号値Ｒi-jに乗算する補正係数
ａG-j：補正後の赤色駆動信号の規格化された輝度信号値Ｒo-jを求めるために補正前の緑色駆動信号の規格化された輝度信号値Ｇi-jに乗算する補正係数
ａB-j：補正後の赤色駆動信号の規格化された輝度信号値Ｒo-jを求めるために補正前の青色駆動信号の規格化された輝度信号値Ｂi-jに乗算する補正係数
ｂR-j：補正後の緑色駆動信号の規格化された輝度信号値Ｇo-jを求めるために補正前の赤色駆動信号の規格化された輝度信号値Ｒi-jに乗算する補正係数
ｂG-j：補正後の緑色駆動信号の規格化された輝度信号値Ｇo-jを求めるために補正前の緑色駆動信号の規格化された輝度信号値Ｇi-jに乗算する補正係数
ｂB-j：補正後の緑色駆動信号の規格化された輝度信号値Ｇo-jを求めるために補正前の青色駆動信号の規格化された輝度信号値Ｂi-jに乗算する補正係数
ｃR-j：補正後の青色駆動信号の規格化された輝度信号値Ｂo-jを求めるために補正前の赤色駆動信号の規格化された輝度信号値Ｒi-jに乗算する補正係数
ｃG-j：補正後の青色駆動信号の規格化された輝度信号値Ｂo-jを求めるために補正前の緑色駆動信号の規格化された輝度信号値Ｇi-jに乗算する補正係数
ｃB-j：補正後の青色駆動信号の規格化された輝度信号値Ｂo-jを求めるために補正前の青色駆動信号の規格化された輝度信号値Ｂi-jに乗算する補正係数
【００７３】
すると、（Ｒi-j，Ｇi-j，Ｂi-j）と（Ｒo-j，Ｇo-j，Ｂo-j）の関係は、以下の式（１）のとおりとなる。尚、式（１）中の補正係数である行列「Ａj」は、式（２）で表され、画素の位置毎に異なる値、即ち、「ｊ」の値に依存して異なる値をとる。
【００７４】
0005092609.tif 000002
【００７５】
0005092609.tif 000003
【００７６】
以下、補正係数である行列「Ａj」の算出方法について説明する。
【００７７】
一般に、赤色、緑色、及び、青色の色度座標、並びに、基準白色の色度座標が与えられれば、駆動信号における規格化された輝度信号の値を国際照明委員会（ＣＩＥ）のＸＹＺ表色系へ変換するための３行×３列の行列を決定できることが知られている。この変換式を一般式（３）に示す。但し、一般式（３）中、「Ｂ」は、赤色、緑色、及び、青色、並びに、基準白色の色度座標より決定される３行×３列の行列である。
【００７８】
0005092609.tif 000004
【００７９】
Ｙ’軸方向に沿った第ｊ番目の画素を考えると、一般式（３）は、以下の式（４）のように変形される。
【００８０】
0005092609.tif 000005
【００８１】
ここで、Ｙ’軸方向に沿った画素毎に、同一階調（例えば、「２５５」）が得られる赤色駆動信号に基づく画像によって得られる赤色色度座標（ｘR-j，ｙR-j）、緑色駆動信号に基づく画像によって得られる緑色色度座標（ｘG-j，ｙG-j）、及び、青色駆動信号に基づく画像によって得られる青色色度座標（ｘB-j，ｙB-j）、並びに、画素毎の基準白色の色度座標（ｘW-j，ｙW-j）を求める。そして、これらの色度座標から、式（４）の３行×３列の行列「Ｂj」が予め求められていれば、規格化された輝度信号の値（Ｒi-j，Ｇi-j，Ｂi-j）をＸＹＺ表色系における３刺激値（Ｘi-j，Ｙi-j，Ｚi-j）に変換することができる。尚、これらの色度座標が、画素における表示階調を同一階調としたときに得られる画像の評価値に相当し、これらの評価値に基づいて補正係数の値が、以下のように決定される。
【００８２】
赤色、緑色、及び、青色、並びに、基準白色のＸＹＺ座標系における色度座標ＰR-j（x,y,z），ＰG-j（x,y,z），ＰB-j（x,y,z），ＰW-j（x,y,z）を、以下の式（５−１）、式（５−２）、式（５−３）、及び、式（５−４）のように表す。
【００８３】
ＰR-j（x,y,z）＝（ｒj・（ｘR-j／ｙR-j），ｒj，ｒj・（ｚR-j／ｙR-j））
（５−１）
ＰG-j（x,y,z）＝（ｇj・（ｘR-j／ｙR-j），ｇj，ｇj・（ｚR-j／ｙR-j））
（５−２）
ＰB-j（x,y,z）＝（ｂj・（ｘR-j／ｙR-j），ｂj，ｂj・（ｚR-j／ｙR-j））
（５−３）
ＰW-j（x,y,z）＝（       ｘW-j／ｙW-j，  １，        ｚW-j／ｙW-j  ）
（５−４）
【００８４】
ＰR-j，ＰG-j，ＰB-j，ＰW-jのそれぞれの（ｘ，ｙ，ｚ）の値の間には、以下の式（６−１）、式（６−２）及び式（６−３）の関係がある。
【００８５】
ＰW-j(x)＝ＰR-j(x) ＋ ＰG-j(x) ＋ ＰB-j(x)    （６−１）
ＰW-j(y)＝ＰR-j(y) ＋ ＰG-j(y) ＋ ＰB-j(y)    （６−２）
ＰW-j(z)＝ＰR-j(z) ＋ ＰG-j(z) ＋ ＰB-j(z)    （６−３）
【００８６】
従って、以下の式（７）の連立方程式を解くことで、ｒj，ｇj，ｂjが得られる。そして、得られたｒj，ｇj，ｂjの値から、式（８）で示す行列「Ｂj」を得ることができる。
【００８７】
0005092609.tif 000006
【００８８】
0005092609.tif 000007
【００８９】
次に、補正後の色再現範囲（図４に示した共通色再現範囲）における赤色、緑色、及び、青色の色度座標と、任意の基準白色の色度座標（例えば、色温度６５０４Ｋ，ｘW＝０．３１２７，ｙW＝０．３２９０）から、共通色再現範囲における補正後の規格化された駆動信号（入力画像信号）の輝度信号値をＸＹＺ表色系へ変換するための３行×３列の行列を「Ｃ」としたとき、一般式（３）から、以下の式（９）が成り立つ。
【００９０】
0005092609.tif 000008
【００９１】
ここで、実際には、式（４）の左辺と式（９）の左辺とが等しくなるような補正を行うので、式（１）、式（４）及び式（９）から、以下の式（１０）が導かれる。ここで、行列「Ｂj」は式（８）から得ることができ、行列「Ｃ」は、行列「Ｂj」を求める手順と同様の手順に従って得ることができる。
【００９２】
Ａj＝Ｂj＊Ｃ-1    （１０）
【００９３】
こうして、実施例１における補正係数である式（１０）で示す３行×３列の行列「Ａj」を得ることができる。
【００９４】
以上に説明した処理において、画素に対応した評価値は、画像形成装置１１（画像形成手段１２）が赤色を表示したときの赤色の色度座標、緑色を表示したときの緑色の色度座標、及び、青色を表示したときの青色の色度座標である。そして、以上に説明した処理は、補正係数を、所望の色再現範囲（図４に示した共通色再現範囲）における赤色の色度座標と、画像形成装置１１（画像形成手段１２）が赤色を表示したときの赤色の色度座標との一致、共通色再現範囲における緑色の色度座標と、画像形成装置１１（画像形成手段１２）が緑色を表示したときの緑色の色度座標との一致、及び、共通色再現範囲における青色の色度座標と、画像形成装置１１（画像形成手段１２）が青色を表示したときの青色の色度座標との一致が得られるような値とするといった処理と、等価である。
【００９５】
係る補正係数である３行×３列の行列「Ａj」を、補正データ格納部７４に記憶しておく。そして、補正係数は、電源投入時に補正データ格納部７４から制御回路（コントローラ）７３によって読み出され、補正データ発生部７２に転送される。また、外部から赤色、緑色、及び、青色を発光する画素を制御する映像信号（Ｒed，Ｇreen，Ｂlue）、垂直同期信号（ＶSync）、水平同期信号（ＨSync）、クロック（Ｃlock）が入力された映像信号処理回路６１にあっては、各画素の動作を制御するための各種信号を生成し、各画素に送出すると同時に、各画素を駆動するための（具体的には、各画素を構成する液晶セルの開口率を制御するための）駆動信号を生成し、補正係数演算回路７５の乗算器７６に送出する。また、外部からの垂直同期信号（ＶSync）、水平同期信号（ＨSync）、クロック（Ｃlock）は、タイミング生成回路７１にも送られる。タイミング生成回路７１は、入力信号のタイミングに応じた読み出しクロック信号（Ｒead Ｃlock）及びアドレス信号（Ａddress）を生成して、補正データ発生部７２へ送出する。補正データ発生部７２は、タイミング生成回路７１のタイミング信号に同期して、補正係数である３行×３行の行列「Ａj」を補正係数演算回路７５の乗算器７６に送出する。補正係数演算回路７５の乗算器７６においては、式（１）に基づき、補正前の駆動信号と行列「Ａj」の乗算が行われ、更に、加算器７７において加算が行われ、得られた駆動信号（補正後の輝度信号）が各画素に送出され、各画素を構成する液晶セルの開口率が制御される。即ち、補正係数によって駆動信号を構成する輝度信号が補正される。
【００９６】
以上のとおり、実施例１の画像表示装置及びその駆動方法にあっては、例えば、Ｙ軸方向と光学的に等価の方向に沿った画像形成装置１１における画素に応じて異なる値を有する補正係数によって、駆動信号を構成する輝度信号が補正されるので、画角θの変化に起因して画像表示装置に表示される色や輝度が異なってしまうといった現象の発生を抑制することができ、得られた画像に色ムラが発生することが無く、高い表示品質を達成することができる。
【実施例２】
【００９７】
実施例２は、実施例１の画像表示装置及びその駆動方法の変形である。実施例２にあっては、画素に応じた補正係数を、所望の色再現範囲（共通色再現範囲）における基準白色の色度座標と、画像形成装置１１（画像形成手段１２）が赤色、緑色、及び、青色を表示したときの基準白色の色度座標との一致が得られるような値とする。尚、実施例２において、共通色再現範囲における基準白色の色度座標を、色温度６５０４Ｋ，ｘW＝０．３１２７，ｙW＝０．３２９０とする。
【００９８】
ここで、目標とする基準白色を構成するための赤色駆動信号の規格化された輝度信号値をＷR-j、緑色駆動信号の規格化された輝度信号値をＷG-j、青色駆動信号の規格化された輝度信号値をＷB-jとする。また、補正係数ηR-j、ηG-j、ηB-jを、以下のとおり、定義する。
【００９９】
ηR-j：補正後の赤色駆動信号の規格化された輝度信号値ＷR-jを求めるために補正前の赤色駆動信号の規格化された輝度信号値Ｒi-jに乗算する補正係数
ηG-j：補正後の緑色駆動信号の規格化された輝度信号値ＷG-jを求めるために補正前の緑色駆動信号の規格化された輝度信号値Ｇi-jに乗算する補正係数
ηB-j：補正後の青色駆動信号の規格化された輝度信号値ＷB-jを求めるために補正前の青色駆動信号の規格化された輝度信号値Ｂi-jに乗算する補正係数
【０１００】
すると、（Ｒi-j，Ｇi-j，Ｂi-j）と（ＷR-j，ＷG-j，ＷB-j）の関係は、以下の式（１０）のとおりとなる。尚、式（１０）中の補正係数であるηR-j、ηG-j、ηB-jは、画素の位置毎に異なる値、即ち、「ｊ」の値に依存して異なる値をとる。
【０１０１】
0005092609.tif 000009
【０１０２】
補正係数（ηR-j、ηG-j、ηB-j）は、以下の方法で求めることができる。即ち、実施例１における式（１）の左辺を、（ＷR-j，ＷG-j，ＷB-j）で置き換えると、以下の式（１１）のとおりとなる。尚、式（１１）中の行列「Ａj」は、式（２）に示したとおりであり、実施例１にて説明した方法に基づき得ることができる。
【０１０３】
0005092609.tif 000010
【０１０４】
そして、得られた行列「Ａj」に基づき、補正係数（ηR-j、ηG-j、ηB-j）は、以下の式（１２）から得ることができる。
【０１０５】
0005092609.tif 000011
【０１０６】
このような実施例２における補正方法（駆動方法）では、赤色、緑色、及び、青色の原色近傍の色に対しては、色ムラ低減の効果は余り大きくはない。しかしながら、自然画を表示した際に使用される頻度の高い白色及びその近傍の色における色ムラを効果的に低減することができる。実施例２における駆動信号を構成する輝度信号の補正の効果を図６の（Ａ）及び（Ｂ）に示す。補正前の赤色駆動信号の規格化された輝度信号値Ｒi-jを「２５５」、補正前の緑色駆動信号の規格化された輝度信号値Ｇi-jを「２５５」、補正前の青色駆動信号の規格化された輝度信号値Ｂi-jを「２５５」とした場合、補正前の表示画面内の色ムラは、図６の（Ａ）における「補正前」のとおりである。この輝度信号に対して式（１２）を用いた補正を行うと、表示画面内の色ムラは、図６の（Ａ）における「補正後」のとおりとなった。尚、図６の（Ａ）及び（Ｂ）の横軸は「ｊ」の値であり、縦軸は色度Δ（ｕ’，ｖ’）の変化を表す。また、補正前の赤色駆動信号の規格化された輝度信号値Ｒi-jを「２５５」、補正前の緑色駆動信号の規格化された輝度信号値Ｇi-jを「２００」、補正前の青色駆動信号の規格化された輝度信号値Ｂi-jを「１５０」とした場合、補正前の表示画面内の色ムラは、図６の（Ｂ）における「補正前」のとおりである。この輝度信号に対して式（１２）を用いた補正を行うと、表示画面内の色ムラは、図６の（Ｂ）における「補正後」のとおりとなった。以上のとおり、実施例２における輝度信号の補正によっても、表示画面内の色ムラは大幅に減少していることが判る。
【０１０７】
駆動回路６０の構成例を、図５の回路図に示す。駆動回路６０それ自体は周知の回路から構成されており、図５に示すように、映像信号処理回路６１を含んでいる。補正回路７０は、実施例１と同様に、タイミング生成回路７１、補正係数生成部７２、制御回路（コントローラ）７３、補正データ格納部７４、補正係数演算回路７５から構成されているが、補正係数演算回路７５には３つの乗算器７６が含まれているだけである。
【０１０８】
実施例２にあっては、補正係数である３行×１列の行列「Ｄj」（即ち、ηR-j、ηG-j、ηB-jの組）を、補正データ格納部７４に記憶しておく。そして、補正係数は、電源投入時に補正データ格納部７４から制御回路（コントローラ）７３によって読み出され、補正データ発生部７２に転送される。また、外部から赤色、緑色、及び、青色を発光する画素を制御する映像信号（Ｒed，Ｇreen，Ｂlue）、垂直同期信号（ＶSync）、水平同期信号（ＨSync）、クロック（Ｃlock）が入力された映像信号処理回路６１にあっては、各画素の動作を制御するための各種信号を生成し、各画素に送出すると同時に、各画素を駆動するための（具体的には、各画素を構成する液晶セルの開口率を制御するための）駆動信号を生成し、補正係数演算回路７５の乗算器７６に送出する。また、外部からの垂直同期信号（ＶSync）、水平同期信号（ＨSync）、クロック（Ｃlock）は、タイミング生成回路７１にも送られる。タイミング生成回路７１は、入力信号のタイミングに応じた読み出しクロック信号（Ｒead Ｃlock）及びアドレス信号（Ａddress）を生成して、補正データ発生部７２へ送出する。補正データ発生部７２は、タイミング生成回路７１のタイミング信号に同期して、補正係数である３行×１行の行列「Ｄj」を補正係数演算回路７５の乗算器７６に送出する。補正係数演算回路７５の乗算器７６においては、式（１２）に基づき、補正前の駆動信号と行列「Ｄj」の乗算が行われ、得られた駆動信号（補正後の輝度信号）が各画素に送出され、各画素を構成する液晶セルの開口率が制御される。即ち、補正係数によって駆動信号を構成する輝度信号が補正される。
【０１０９】
実施例２における駆動信号（輝度信号）の補正は、実施例１における駆動信号（輝度信号）の補正よりも、簡素化されている。即ち、１回の乗算を行うだけである。従って、実際に回路を構成した場合の回路規模の縮小を図ることができるし、消費電力の低減を図ることができる。
【実施例３】
【０１１０】
実施例３は、本発明の第２の態様及び第３の態様に係る画像表示装置及びその駆動方法に関する。実施例３の画像表示装置、あるいは又、実施例３の画像表示装置の駆動方法における画像表示装置を構成する光源及び走査光学系の部分を図８に示す。光源及び走査光学系の部分を除いた画像表示装置の他の構成要素は、実質的に、実施例１あるいは実施例２において説明した画像表示装置と同様とすることができる。即ち、本発明の第２の態様に沿って実施例３の画像表示装置１０を説明すると、
（Ａ）光源１００、
（Ｂ）光源から出射された光を走査して、２次元マトリクス状に配列された仮想の画素を形成する走査光学系１０５、
（Ｃ）走査光学系からの光が入射され、導光され、出射される光学装置２０、及び、
（Ｅ）駆動回路６０、
を備えた画像表示装置である。そして、光学装置２０は、実施例１と同様に、
（ａ）入射された光が内部を全反射により伝播した後、出射される導光板２２、
（ｂ）導光板２２に入射された光が導光板２２の内部で全反射されるように、導光板２２に入射された光を回折反射する、反射型体積ホログラム回折格子から成り、導光板２２に配設された第１回折格子部材３０、及び、
（ｃ）導光板２２の内部を全反射により伝播した光を、複数回、回折反射し、導光板２２から出射する、反射型体積ホログラム回折格子から成り、導光板２２に配設された第２回折格子部材４０、
を備えている。
【０１１１】
あるいは又、本発明の第３の態様に沿って実施例３の画像表示装置１０を説明すると、
（Ａ）２次元マトリクス状に配列された複数の画素に相当する光を出射する画像形成手段１２０、
（Ｂ）画像形成手段１２０を駆動するための駆動信号を出力する駆動回路６０、及び、
（Ｃ）画像形成手段１２０から出射された光を投射する回折光学素子を含む投射光学系２１、
を備えている。尚、画像形成手段１２０は、光源１００、及び、光源１００から出射された光を走査して、２次元マトリクス状に配列された仮想の画素を形成する走査光学系１０５から構成されており、フィールドシーケンシャル方式に基づき、光源１００が作動させられる。尚、実施例１と同様に、第２回折格子部材４０が回折光学素子に該当する。あるいは又、投射光学系２１は、等しいピッチの干渉縞を有する少なくとも２つの回折光学素子を含むが、第２回折格子部材４０が一方の回折光学素子に該当し、第１回折格子部材３０が他方の回折光学素子に該当する。
【０１１２】
実施例３において、駆動回路６０は、仮想の画素にて表示すべき表示階調に対応して光源を駆動するための駆動信号を出力する光源制御回路（具体的には、映像信号処理回路６１）、及び、仮想の画素に対応する該駆動信号を補正係数に基づき補正する補正回路７０を備えている。そして、補正係数は、Ｙ軸方向と光学的に等価の方向に沿った仮想の画素に応じて異なる値を有する。
【０１１３】
駆動回路６０の構成例は、実施例１の図２あるいは実施例２の図５に示した回路と同様とすることができるし、補正係数の行列「Ａj」、「Ｄj」も実施例１あるいは実施例２と同様とすることができるし、駆動信号の補正方法（駆動方法）も実施例１あるいは実施例２と同様とすることができるので、詳細な説明は省略する。
【０１１４】
実施例３の光源１００は、図７に模式図を示すように、
（α）赤色を発光する赤色素子１０１Ｒ（例えば、ＡｌＧａＩｎＰ系半導体発光素子やＧａＮ系半導体発光素子。以下においても同じ）１０１Ｒ、
（β）緑色を発光する緑色発光素子１０１Ｇ（ＧａＮ系半導体から成る。以下においても同じ）、及び、
（γ）青色を発光する青色発光素子１０１Ｂ（ＧａＮ系半導体から成る。以下においても同じ）、並びに、
（δ）赤色発光素子１０１Ｒ、緑色発光素子１０１Ｇ及び青色発光素子１０１Ｂのそれぞれから射出された光を１本の光路に纏めるための手段（例えば、ダイクロイック・プリズム１０３）、更には、
（ε）１本の光路に纏めるための手段（ダイクロイック・プリズム１０３）から射出された光の通過／非通過を制御するための光通過制御装置（液晶表示装置）１０４、
を備えている。発光素子１０１Ｒ，１０１Ｇ，１０１Ｂから射出された光は、シリコーン樹脂やエポキシ樹脂、ポリカーボネート樹脂といった透光性物質による導光部材やミラー等の反射体から成る光案内部材１０２によって案内され、光通過制御装置１０４に入射する。
【０１１５】
そして、光通過制御装置１０４によってこれらの発光素子から射出された射出光の通過／非通過を制御することで画像を表示する、フィールドシーケンシャル方式のカラー表示の画像形成装置から構成されている。光通過制御装置１０４からは、１画素分の光が出射される。そして、この光は、図示しないコリメート光学系を通過し、例えば、Ｚ軸と平行な回転軸１０７（図面の紙面垂直方向に延びる）の周りを回転する水平走査用ガルバノ・ミラー１０６、及び、例えば、ＸＹ平面に含まれる回転軸１０９（図面の紙面と平行な方向に延びる）の周りを回転する垂直走査用ガルバノ・ミラー１０８から成る走査光学系１０５によって走査され、２次元マトリクス状に配列された仮想の画素が形成される。そして、走査光学系１０５から出射された光は、導光板２２の第１面２３に入射する。
【０１１６】
以上、本発明を好ましい実施例に基づき説明したが、本発明はこれらの実施例に限定するものではない。実施例において説明した画像表示装置の構成、構造は例示であり、適宜変更することができる。例えば、実施例１〜実施例３において、第１回折格子部材３０には、各平行光束を構成する異なる波長帯域（あるいは、波長）を有するＰ種類の光束の回折反射の角度を略同一とするために、Ｐ種類の干渉縞が形成されている構成とすることができる。また、画素の位置に応じて、実施例１にて説明した駆動方法（補正方法）と、実施例２において説明した駆動方法（補正方法）とを切り替えてもよい。導光板２２において、第１回折格子部材３０と第２回折格子部材４０の上方に空気層を挟んで透明基板（例えば、ガラス基板）を配設してもよく、これによって、導光板２２の第２面２４、第１回折格子部材３０及び第２回折格子部材４０を保護することができる。
【０１１７】
実施例１や実施例２での使用に適した画像形成装置として、例えば、図８に概念図を示すような、半導体発光素子から成る発光素子１１０が２次元マトリクス状に配列された発光パネルから成り、発光素子１１０のそれぞれの発光／非発光状態を制御することで、発光素子１１０の発光状態を直接的に視認させることで画像を表示する、アクティブマトリックスタイプの画像形成装置とすることもできる。この画像形成装置から出射された光は、コリメート光学系１３を介して導光板２２に入射される。
【０１１８】
あるいは又、図９に概念図を示すように、
（α）赤色を発光する赤色発光素子１１０Ｒが２次元マトリクス状に配列された赤色発光パネル１１１Ｒ、
（β）緑色を発光する緑色発光素子１１０Ｇが２次元マトリクス状に配列された緑色発光パネル１１１Ｇ、及び、
（γ）青色を発光する青色発光素子１１０Ｂが２次元マトリクス状に配列された青色発光パネル１１１Ｂ、並びに、
（δ）赤色発光パネル１１１Ｒ、緑色発光パネル１１１Ｇ及び青色発光パネル１１１Ｂから射出された光を１本の光路に纏めるための手段（例えば、ダイクロイック・プリズム１０３）、
を備えており、
赤色発光素子１１０Ｒ、緑色発光素子１１０Ｇ及び青色発光素子１１０Ｂのそれぞれの発光／非発光状態を制御するカラー表示の画像形成装置とすることもできる。この画像形成装置から出射された光も、コリメート光学系１３を介して導光板２２に入射される。尚、参照番号１１２は、発光素子から出射された光を集光するためのマイクロレンズである。
【０１１９】
あるいは又、発光素子１１０Ｒ，１１０Ｇ，１１０Ｂが２次元マトリクス状に配列された発光パネル１１１Ｒ，１１１Ｇ，１１１Ｂ等から成る画像形成装置の概念図を図１０に示すが、発光パネル１１１Ｒ，１１１Ｇ，１１１Ｂから射出された光は、光通過制御装置１０４Ｒ，１０４Ｇ，１０４Ｂによって通過／非通過が制御され、ダイクロイック・プリズム１０３に入射し、これらの光の光路は１本の光路に纏められ、コリメート光学系１３を介して導光板２２に入射される。
【０１２０】
あるいは又、発光素子１１０Ｒ，１１０Ｇ，１１０Ｂが２次元マトリクス状に配列された発光パネル１１１Ｒ，１１１Ｇ，１１１Ｂ等から成る画像形成装置の概念図を図１１に示すが、発光パネル１１１Ｒ，１１１Ｇ，１１１Ｂから射出された光は、ダイクロイック・プリズム１０３に入射し、これらの光の光路は１本の光路に纏められ、ダイクロイック・プリズム１０３から射出したこれらの光は光通過制御装置１０４によって通過／非通過が制御され、コリメート光学系１３を介して導光板２２に入射される。
【０１２１】
実施例３での使用に適した光源として、図１２に示すように、赤色を発光する発光素子１０１Ｒ、及び、赤色を発光する発光素子１０１Ｒから射出された射出光の通過／非通過を制御するための一種のライト・バルブである光通過制御装置（例えば、液晶表示装置１０４Ｒ）、緑色を発光する発光素子１０１Ｇ、及び、緑色を発光する発光素子１０１Ｇから射出された射出光の通過／非通過を制御するための一種のライト・バルブである光通過制御装置（例えば、液晶表示装置１０４Ｇ）、青色を発光する発光素子１０１Ｂ、及び、青色を発光する発光素子１０１Ｂから射出された射出光の通過／非通過を制御するための一種のライト・バルブである光通過制御装置（例えば、液晶表示装置１０４Ｂ）、並びに、これらのＧａＮ系半導体から成る発光素子１０１Ｒ，１０１Ｇ，１０１Ｂから射出された光を案内する光案内部材１０２Ｒ，１０２Ｇ，１０２Ｂ、及び、１本の光路に纏めるための手段（例えば、ダイクロイック・プリズム１０３）を備えた画像形成装置とすることもできる。
【図面の簡単な説明】
【０１２２】
【図１】図１は、実施例１の画像表示装置の概念図である。
【図２】図２は、実施例１の画像表示装置における駆動装置の回路図である。
【図３】図３は、画角が変化したときの色再現範囲を模式的に示すｘｙ色度図である。
【図４】図４は、種々の画角における色再現範囲を求めた結果、及び、所望とする共通色再現範囲を示すｘｙ色度図である。
【図５】図５は、実施例２の画像表示装置における駆動装置の回路図である。
【図６】図６の（Ａ）及び（Ｂ）は、実施例２において、駆動信号を構成する輝度信号を補正する前及び後における色度Δ（ｕ’，ｖ’）の変化を表すグラフである。
【図７】図７は、実施例３における光源及び走査光学系の概念図である。
【図８】図８は、画像形成装置の変形例を示す概念図である。
【図９】図９は、画像形成装置の別の変形例を示す概念図である。
【図１０】図１０は、画像形成装置の更に別の変形例を示す概念図である。
【図１１】図１１は、画像形成装置の更に別の変形例を示す概念図である。
【図１２】図１２は、光源の変形例を示す概念図である。
【図１３】図１３は、画角θを−６度から＋６度としたときの波長４８０ｎｍ乃至５６０ｎｍの光の回折効率分布を示すグラフである。
【図１４】図１４の（Ａ）は、画角θ＝＋６度の場合、回折スペクトルを示すグラフであり、図１４の（Ｂ）は、画角θ＝０度の場合、回折スペクトルを示すグラフである。
【図１５】図１５は、画角θ＝−６度の場合、回折スペクトルを示すグラフである。
【図１６】図１６は、画角θの違いによる回折効率と回折スペクトルの中心波長との関係として描いたグラフ、及び、光源から出射される光のスペクトルを模式的に示すグラフである。
【図１７】図１７の（Ａ）は、従来の画像表示装置の概念図であり、図１７の（Ｂ）は、第１回折格子部材の拡大した模式的な一部断面図である。
【符号の説明】
【０１２３】
１０・・・画像表示装置、１１・・・画像形成装置、１２，１２０・・・画像形成手段、１３・・・コリメート光学系、２０・・・光学装置、２１・・・投影光学系、２２・・・導光板、２３・・・導光板の第１面、２４・・・導光板の第２面、３０・・・第１回折格子部材、４０・・・第２回折格子部材、５０・・・瞳、６０・・・駆動回路、６１・・・映像信号処理回路、７０・・・補正回路、７１・・・タイミング生成回路、７２・・・補正係数生成部、７３・・・制御回路（コントローラ）、７４・・・補正データ格納部、７５・・・補正係数演算回路、７６・・・乗算器、７７・・・加算器、１００・・・光源、１０１Ｒ，１０１Ｇ，１０１Ｂ，１１０Ｒ，１１０Ｇ，１１０Ｂ・・・発光素子、１０２・・・光案内部材、１０３・・・ダイクロイック・プリズム、１０４，１０４Ｒ，１０４Ｇ，１０４Ｂ・・・光通過制御装置、１０５・・・走査光学系、１０６・・・水平走査用ガルバノ・ミラー、１０８・・・垂直走査用ガルバノ・ミラー、１０７，１０９・・・回転軸、１１１Ｒ，１１１Ｇ，１１１Ｂ・・・発光パネル，１１２・・・マイクロレンズ
【図１】
0005092609.tif 000012
【図２】
0005092609.tif 000013
【図５】
0005092609.tif 000014
【図７】
0005092609.tif 000015
【図８】
0005092609.tif 000016
【図９】
0005092609.tif 000017
【図１０】
0005092609.tif 000018
【図１１】
0005092609.tif 000019
【図１２】
0005092609.tif 000020
【図１４】
0005092609.tif 000021
【図１５】
0005092609.tif 000022
【図１７】
0005092609.tif 000023
【図３】
0005092609.tif 000024
【図４】
0005092609.tif 000025
【図６】
0005092609.tif 000026
【図１３】
0005092609.tif 000027
【図１６】
0005092609.tif 000028